(57)【要約】【課題】着衣の上から容易に装着することができ、転倒した際に腰に加わる衝撃力を緩和して骨折を防止することが可能な転倒骨折の予防具を提供する。【解決手段】転倒骨折の予防具１０は、中央の第１の領域１６、第１の領域１６の両側に縫合され、表側にループ状の面ファスナ２１が設けられた第２、第３の領域１７、１８、第２、第３の領域１７、１８のそれぞれ外側領域に配置されて縫合された第４、第５の領域１９、２０を備え、第４の領域１９の裏側に設けられたフック状の面ファスナを介して第３の領域１８と又は第５の領域２０の裏側に設けられたフック状の面ファスナ２２を介して第２の領域１７と着脱可能に接合されるシート本体１１と、裏側に設けられたフック状の面ファスナ２８を介して第２、第３の領域１７、１８の表側に着脱可能に接合され、腰部の左右両側をそれぞれ覆う衝撃吸収部材１２とを有する。【選択図】図１
0003217668.tif 000002
【実用新案登録請求の範囲】
【請求項１】
身体の腰部に着脱自在に装着され、転倒時に該腰部に加わる衝撃力を緩和して骨折を予防する転倒骨折の予防具において、
中央にある第１の領域、該第１の領域の両側にそれぞれ縫合され、表側にループ状の面ファスナが設けられた第２、第３の領域、及び該第２、第３の領域のそれぞれの外側領域に配置されて縫合された第４、第５の領域を備え、クッション性、伸縮性及び防水性を備えて、前記第１〜第５の領域を展開した状態では弧状となって、前記第４の領域の裏側に設けられたフック状の面ファスナを介して前記第３の領域と着脱可能に又は前記第５の領域の裏側に設けられたフック状の面ファスナを介して前記第２の領域と着脱可能に接合されることにより前記腰部に巻き付けられて該腰部を保護するシート本体と、
裏側に設けられたフック状の面ファスナと前記第２、第３の領域の表側のループ状の面ファスナにより着脱可能に接合され、使用時に前記腰部の左右両側をそれぞれ覆うクッション性を備えた衝撃吸収部材とを有することを特徴とする転倒骨折の予防具。
【請求項２】
請求項１記載の転倒骨折の予防具において、前記第１の領域には、弧長が短い端部から弧長が長い端部に向けて伸びる２以上のダーツが設けられていることを特徴とする転倒骨折の予防具。
【請求項３】
請求項１又は２記載の転倒骨折の予防具において、前記衝撃吸収部材は平面視して矩形状又は正方形状であって、該衝撃吸収部材の裏面の前記フック状の面ファスナは任意の１辺を除いた３辺の縁に沿って設けられていることを特徴とする転倒骨折の予防具。
【請求項４】
請求項１〜３のいずれか１項に記載の転倒骨折の予防具において、前記シート本体は、独立気泡を有するゴムシートの両面に合成繊維からなるジャージ生地がそれぞれ設けられた３層以上の多層シート材から形成されていることを特徴とする転倒骨折の予防具。
【請求項５】
請求項１〜４のいずれか１項に記載の転倒骨折の予防具において、前記衝撃吸収部材は、裏面側が前記第２、第３の領域の表側に取付けられる基材シートと、該基材シートの表側に複数並べて縫い付けられ、テープ部材を長手方向に沿った軸の回りに捩り変形して形成された緩衝片とを有し、前記基材シート及び前記テープ部材は、独立気泡を有するゴムシートの両面に合成繊維からなるジャージ生地がそれぞれ設けられた３層以上の多層シート材から形成されていることを特徴とする転倒骨折の予防具。
【考案の詳細な説明】
【技術分野】
【０００１】
本考案は、例えば、高齢者が腰に装着して、転倒した際に腰に加わる衝撃力を緩和して骨折を防止する転倒骨折の予防具に関する。
【背景技術】
【０００２】
高齢者は足腰の筋肉量が減少している上に骨密度が低下していることが多いため、転倒時の衝撃力が腰部に加わると大腿骨頸部の骨折が生じ易い。そして、大腿骨頸部を骨折した場合、骨折の治療中は足腰の動きが制限されるため足腰の筋肉量の減少が著しく加速されることになり、骨折が治癒しても歩行困難な状態になったり、寝たきりの状態になったりするといった問題が生じている。
【０００３】
そこで、転倒した際に骨折しやすい大腿骨頸部の骨折を予防するため、側部にポケットが形成され、このポケットに転倒時に腰部に加わる衝撃力を吸収する衝撃吸収部材を挿入して腰部に加わる衝撃力を緩和する下着タイプの骨折予防具が提供されている（例えば、特許文献１、２参照）。また、後身頃に腰痛帯、骨盤ベルト、あるいは脇身頃等の付属物が連結され、この連結された付属物にポケットを設け、そのポケット内に衝撃吸収部材を入れて腰部に加わる衝撃力を緩和する下着タイプの骨折予防具が提供されている（例えば、特許文献３参照）。
【先行技術文献】
【特許文献】
【０００４】
【特許文献１】実用新案登録第３０８３２６８号公報
【特許文献２】特開２００４−３２１７３１号公報
【特許文献３】特開２００４−１２４３４４号公報
【考案の概要】
【考案が解決しようとする課題】
【０００５】
しかしながら、特許文献１、２のように、下着に形成されたポケットに衝撃吸収部材を入れるタイプものでは、下着は装着中にずれることがあるので、下着がずれるとポケットの位置もずれることになり、衝撃吸収部材を適切な場所に安定して配置できないという問題が生じる。また、特許文献３のように、下着に連結した付属物に形成したポケットに衝撃吸収部材を入れるタイプのものでは、装着中の下着のずれによって付属物の位置がずれ、衝撃吸収部材を適切な場所に安定して配置できないという問題に加えて、付属物が下着の着脱時や洗濯時に邪魔になるという問題も生じる。
【０００６】
本考案はかかる事情に鑑みてなされたもので、着衣の上から容易に装着することができ、転倒した際に腰に加わる衝撃力を緩和して骨折を防止することが可能な転倒骨折の予防具を提供することを目的とする。
【課題を解決するための手段】
【０００７】
前記目的に沿う本考案に係る転倒骨折の予防具は、身体の腰部に着脱自在に装着され、転倒時に該腰部に加わる衝撃力を緩和して骨折を予防する転倒骨折の予防具において、
中央にある第１の領域、該第１の領域の両側にそれぞれ縫合され、表側にループ状の面ファスナが設けられた第２、第３の領域、及び該第２、第３の領域のそれぞれの外側領域に配置されて縫合された第４、第５の領域を備え、クッション性、伸縮性及び防水性を備えて、前記第１〜第５の領域を展開した状態では弧状となって、前記第４の領域の裏側に設けられたフック状の面ファスナを介して前記第３の領域と着脱可能に又は前記第５の領域の裏側に設けられたフック状の面ファスナを介して前記第２の領域と着脱可能に接合されることにより前記腰部に巻き付けられて該腰部を保護するシート本体と、
裏側に設けられたフック状の面ファスナと前記第２、第３の領域の表側のループ状の面ファスナにより着脱可能に接合され、使用時に前記腰部の左右両側をそれぞれ覆うクッション性を備えた衝撃吸収部材とを有する。
【０００８】
本考案に係る転倒骨折の予防具において、前記第１の領域には、弧長が短い端部から弧長が長い端部に向けて伸びる２以上のダーツが設けられていることが好ましい。
２以上（複数）のダーツを第１の領域に設けることで第１の領域の裏側に凹部（第１の領域の表側では外側に向かう膨らみ）を形成することができ、弧長が短い端部側を上側（ウエスト側）にしてシート本体を腰部に接触させた際、臀部を第１の領域の裏側で包み込むように覆うことができる。これにより、腰部に装着するシート本体の安定性を高めることができる。
【０００９】
本考案に係る転倒骨折の予防具において、前記衝撃吸収部材は平面視して矩形状又は正方形状であって、該衝撃吸収部材の裏面の前記フック状の面ファスナは任意の１辺を除いた３辺の縁に沿って設けられていることが好ましい。
このような構成とすることで、衝撃吸収部材を、衝撃吸収部材の裏面上でフック状の面ファスナが設けられていない縁に対応する辺を上側にして第２、第３の領域の表側にそれぞれ取付けると、衝撃吸収部材の裏面と第２、第３の領域の表面で囲まれた空間と外部を連通する開口を、衝撃吸収部材の上側の辺と第２、第３の領域の表面との間にそれぞれ形成することができる。これにより、取付けた衝撃吸収部材をポケットとして利用することができる。
【００１０】
本考案に係る転倒骨折の予防具において、前記シート本体は、独立気泡を有するゴムシートの両面に合成繊維からなるジャージ生地がそれぞれ設けられた３層以上の多層シート材から形成されていることが好ましい。
独立気泡を有するゴムシートは軽量でクッション性を有するため、ゴムシートの厚みを、例えば、２〜８ｍｍの範囲で調節してもシート本体の重量増加を抑えてシート本体に必要な衝撃力吸収性を持たせることができる。このため、シート本体を腰部に装着することで、腰部に加わる衝撃力を緩和することができる。
また、シート本体の表側及び裏側はそれぞれジャージ生地で覆われているため、腰部に装着する際にシート本体の各領域が重なり合っても、ゴムシート同士が直接重なり合うことは無く、重なった領域同士は互いに容易にずれることができる。また、シート本体の外側に物体が接触しても、物体はジャージ生地上を移動することになる。このため、シート本体の腰部に対する装着が容易にできると共に、シート本体（転倒骨折の予防具）を腰部に装着しても動きに制約を受けることがない。
【００１１】
本考案に係る転倒骨折の予防具において、前記衝撃吸収部材は、裏面側が前記第２、第３の領域の表側に取付けられる基材シートと、該基材シートの表側に複数並べて縫い付けられ、テープ部材を長手方向に沿った軸の回りに捩り変形して形成された緩衝片とを有し、前記基材シート及び前記テープ部材は、独立気泡を有するゴムシートの両面に合成繊維からなるジャージ生地がそれぞれ設けられた３層以上の多層シート材から形成されていることが好ましい。
独立気泡を有するゴムシートは軽量でクッション性を有するため、ゴムシートの厚みを、例えば、２〜８ｍｍの範囲で調節しても基材シート及び緩衝片の重量増加を抑えてそれぞれに必要な衝撃力吸収性を持たせることができる。
一方、基材シート及びテープ部材の表側及び裏側はそれぞれジャージ生地で覆われているため、基材シートや緩衝片に接触した物体は容易にずれることができ、予防具を腰部に装着しても動きに制約を受けることがない。
また、衝撃力が作用して緩衝片が潰れると、緩衝片を形成しているテープ部材同士が重なり合うことになってゴムシートの厚さが２倍となり、衝撃力の吸収作用が向上する。これにより、基材シートに加わる衝撃力を低下させることができ、更に基材シートが変形することにより基材シートからシート本体に加わる衝撃力をより低下させることができる。
【考案の効果】
【００１２】
本考案に係る転倒骨折の予防具は、シート本体が伸縮性を有するため、使用者の腰部の周長（腰回りの寸法）に関係なく転倒骨折の予防具を着衣の上に装着することができると共に、転倒骨折の予防具の腰部に対するフィット感が向上し、装着後のずれが防止できる。
また、衝撃吸収部材は第２、第３の領域の表側に着脱可能なため、シート本体を腰部に装着した状態で衝撃吸収部材を第２、第３の領域の表側にそれぞれ取付けることができ、衝撃吸収部材で使用時に腰部の左右両側の必要部位をそれぞれ確実に覆うことができる。
更に、シート本体がクッション性を備えるため、シート本体を腰部に装着することで、腰部が不用意に物体に当たることがあっても、腰部に加わる衝撃力を緩和することができる。そして、シート本体が防水性を有するためシート本体を乾燥状態に保つことが容易となり、シート本体の衛生状態を維持することが容易となる。
転倒骨折の予防具の使用時（シート本体を腰部に装着した状態では）、第２、第３の領域の表側にはループ状の面ファスナが露出される状態となる。このため、使用時に異物が付着するのを防止することができると共に、第２、第３の領域の表側に触れた際の肌触り（感触）を良くすることができる。
【図面の簡単な説明】
【００１３】
【図１】本考案の一実施の形態に係る転倒骨折の予防具を展開した際の表面図である。
【図２】同転倒骨折の予防具を展開した際の裏面図である。
【図３】同転倒骨折の予防具が装着された状態を示す説明図である。
【図４】（Ａ）、（Ｂ）はそれぞれ衝撃吸収部材の衝撃緩衝材を構成する緩衝片の説明図、テープ部材の説明図である。
【考案を実施するための形態】
【００１４】
続いて、添付した図面を参照しつつ、本考案を具体化した実施の形態につき説明し、本考
案の理解に供する。
本考案の一実施の形態に係る転倒骨折の予防具１０は、図１、図２、図３に示すように、身体の腰部に着脱自在に装着され、転倒時に腰部に加わる衝撃力を緩和して骨折（例えば、大腿骨、特に大腿骨頸部の骨折）を予防するものであって、クッション性、伸縮性及び防水性を備えて、展開した状態では弧状となって、腰部に巻き付けられて腰部を保護するシート本体１１と、クッション性、伸縮性及び防水性を備え、使用時に（腰部に装着された状態で）腰部の左右両側をそれぞれ覆う衝撃吸収部材１２とを有する。以下、詳細に説明する。
【００１５】
シート本体１１は、独立気泡を有するゴムシート１３の両面に合成繊維からなるジャージ生地１４がそれぞれ設けられた３層以上の多層シート材１５から形成されている。多層シート材１５からシート本体１１を形成することにより、シート本体１１にクッション性、伸縮性及び防水性を持たせることができる。
また、シート本体１１が伸縮性を有するため、使用者の腰部の周長（腰回りの寸法）に関係なく予防具を着衣の上から装着することができると共に、転倒骨折の予防具１０の腰部に対するフィット感が向上し、シート本体１１の装着に伴う違和感を低減させることができる。
更に、シート本体１１がクッション性を備えるため、シート本体１１を腰部に装着することで、不用意に腰部が物体に当たることがあっても、腰部に加わる衝撃力を緩和することができる。そして、シート本体１１が防水性を有するためシート本体１１を乾燥状態に保つことが容易となり、シート本体１１の衛生状態を維持することが容易となる。
【００１６】
ここで、ゴムシート１３（厚さは、例えば２〜８ｍｍ）が有する独立気泡の直径の下限は０．０５ｍｍ、上限は１ｍｍ、独立気泡の気泡率の下限は６０％、上限は９５％である。ゴムシート１３の独立気泡の直径が０．０５ｍｍ未満又は気泡率が６０％未満では、ゴムシートが押圧されても変形し難く（柔軟性が過小になって）、ゴムシートからの反発力が過大となる（衝撃吸収性とクッション性が過小になる）ため好ましくない。一方、ゴムシート１３の独立気泡の直径が１ｍｍを超え又は独立気泡の気泡率が９５％を超えると、ゴムシート１３が押圧されると容易に変形して（柔軟性が過剰になって）、ゴムシートから反発力が得られない（衝撃吸収性とクッション性が過小になる）ため好ましくない。このため、ゴムシート１３が有する独立気泡の直径の下限は０．０５ｍｍ、好ましくは０．１ｍｍとし、上限は１ｍｍ、好ましくは０．８ｍｍである。また、独立気泡の気泡率の下限は６０％、好ましくは７０％であり、上限は９５％、好ましくは９０％である。
【００１７】
合成繊維からなるジャージ生地１４は厚みが０．３〜２ｍｍであって、ゴムシート１３の表、裏面に接着又は縫合により、あるいは接着及び縫合により設けられている。ジャージ生地１４は、ゴムシート１３の変形に合わせて伸び縮みすることができるため、ゴムシート１３の表、裏面からジャージ生地１４が分離する（剥離する）ことを防止できる。ここで、ジャージ生地１４を形成している合成繊維としては、例えば、ナイロン繊維、ポリエステル繊維、ポリプロピレン中空糸繊維、及びポリエチレン繊維のいずれか１が使用できる。特に、ポリエチレン繊維等の撥水性に優れた繊維からなるジャージ生地１４を用いることで、シート本体１１の表面の乾燥状態を維持することが容易になると共に、洗浄後の乾燥も容易となる。
【００１８】
図１、図２に示すように、展開した状態で弧状となるシート本体１１は、中央にある第１の領域１６と、第１の領域１６の両側にそれぞれ縫合された第２、第３の領域１７、１８と、第２、第３の領域１７、１８のそれぞれの外側領域に配置されて縫合された第４、第５の領域１９、２０とを有している。また、第２、第３の領域１７、１８の表側にはループ状の面ファスナ２１が設けられ、第５の領域２０の裏側に設けられたフック状の面ファスナ２２を介して第２の領域１７と着脱可能に接合される。
【００１９】
第１の領域１６と第２の領域１７との縫合箇所の表側、第１の領域１６と第３の領域１８との縫合箇所の表側、第２の領域１７と第４の領域１９の縫合箇所の表側、及び第３の領域１８と第５の領域２０の縫合箇所の表側にはそれぞれ伸縮性を有する補強用当て布２３が縫い付けられており、シート本体１１の外周部には、伸縮性を有するバイアステープ２４が縫い付けられている。このため、シート本体１１においても、多層シート材１５の有する伸縮性が阻害されずに発現される。
【００２０】
シート本体１１は展開した状態では弧状となるので、弧長が短い端部側を上側（ウエスト側）にしてシート本体１１を腰部に装着する。このため、フック状の面ファスナ２２は、第５の領域２０の外側端部側でかつ弧長が短い端部側となる部位に設けられることが好ましい。これによって、腰部に装着された状態のシート本体１１では、第５の領域２０の弧長が長い端部側は第２の領域１７に対して自由にずれて拡がることができ、腰部にシート本体１１が装着されることによる歩幅の制約を回避できる。
【００２１】
図２に示すように、第１の領域１６の周方向中央部には、弧長が短い端部から弧長が長い端部に向けて伸びる２つのダーツ２５、２６が周方向に隙間を有して対称に設けられている。なお、第１の領域１６のダーツ２５、２６には、表側からダーツ２５、２６及びその周辺部を覆う補強用当て布２７がそれぞれ縫い付けられている。ダーツ２５、２６を設けることで第１の領域１６の裏側に凹部（第１の領域１６の表側では外側に向かう膨らみ）を形成することができる。これにより、シート本体１１の弧長が短い端部側を上側にして第１の領域１６の裏面側を臀部に接触させると、第１の領域１６の裏側で臀部を包み込むように覆うことができる。その結果、腰部に装着されるシート本体１１の安定性を高めることができる。ここで、第１の領域１６で臀部が覆われるようにシート本体１１を腰部に対して位置決めして、腰部にシート本体１１を装着すると、第１の領域１６の両側にそれぞれ配置される第２、第３の領域１７、１８により、腰部の左右両側がそれぞれ覆われることになる。
【００２２】
図１〜図３に示すように、衝撃吸収部材１２は、裏面に第２、第３の領域１７、１８の表側に設けられたループ状の面ファスナ２１と対となるフック状の面ファスナ２８が設けられた基材シート２９と、基材シート２９の表側に設けられ、外部からの衝撃力を吸収して衝撃力が基材シート２９側に伝わるのを抑制する（即ちクッション性を備えた）衝撃緩衝材３０とを有している。このような構成とすることで、シート本体１１の第２、第３の領域１７、１８の表側に基材シート２９を着脱可能に取付けることができ、転倒骨折の予防具１０の使用時、即ち、シート本体１１を腰部に装着した際、腰部の左右両側をそれぞれクッション性を備えた衝撃吸収部材１２で覆うことができる。
【００２３】
基材シート２９及び衝撃緩衝材３０は、独立気泡を有するゴムシート１３ａの両面に合成繊維からなるジャージ生地１４ａがそれぞれ設けられた多層シート材１５ａから形成され、基材シート２９の外周部には伸縮性を有するバイアステープ２４ａが縫い付けられている。このため、基材シート２９を第２、第３の領域１７、１８の表側に取付ける際、基材シート２９をシート本体１１の凹凸状態に合わせて変形させることができ、フック状の面ファスナ２８を第２、第３の領域１７、１８の表側のループ状の面ファスナ２１に確実に連結させることができ、第２、第３の領域１７、１８の表面上で基材シート２９がずれるのを防止することができる。また、ゴムシート１３ａは軽量でクッション性を有するため、ゴムシート１３ａの厚みを、例えば、２〜８ｍｍの範囲で調節しても基材シート２９及び衝撃緩衝材３０の重量増加を抑えてそれぞれに必要な衝撃力吸収性を持たせることができる。なお、ゴムシート１３ａ及びジャージ生地１４ａは、それぞれゴムシート１３及びジャージ生地１４と同様の構成を有するので、詳細な説明は省略する。
【００２４】
基材シート２９（衝撃吸収部材１２）は、例えば、平面視して矩形状又は正方形状であって、フック状の面ファスナ２８は基材シート２９の裏面の任意の１辺を除いた３辺の縁に沿って設けられている。このような構成とすることにより、基材シート２９の裏面側を、フック状の面ファスナ２８が設けられていない縁の裏面側を上側にして第２、第３の領域１７、１８の表側にそれぞれ取付けると、衝撃吸収部材１２の裏面と第２、第３の領域１７、１８の表面で囲まれた空間と外部を連通する開口３１を、衝撃吸収部材１２の上側の縁と第２、第３の領域１７、１８の表面との間にそれぞれ形成することができ、取付けた衝撃吸収部材１２をポケットとして利用することができる。
なお、ポケットに挿入可能な物は、例えば、タオル等の布製品や紙面等の柔らかく変形しやすい性質を有する物に限定する必要がある。
【００２５】
図４（Ａ）、（Ｂ）に示すように、衝撃緩衝材３０は、多層シート材１５ａから切出されたテープ部材３２を用いて構成されている。具体的には、テープ部材３２に長手方向に沿って取付け部３３（例えば、長さが１０〜２０ｍｍ）と変形部３４（例えば、長さが３０〜５０ｍｍ）を交互に設定し、テープ部材３２の一端側の取付け部３３を基材シート２９の表側に縫い付けて固定し、固定された取付け部３３に連接する変形部３４をテープ部材３２の長手方向に沿った軸の回りに捩り変形する。更に、これに連接する取付け部３３を基材シート２９の表側に縫い付けて固定し、この取付け部３３に連接する変形部３４をテープ部材３２の長手方向に沿った軸の回りに捩り変形して、他端側に存在する取付け部３３を基材シート２９の表側に縫い付け固定する。これによって、一つの緩衝片３５が形成される。そして、基材シート２９の表側に緩衝片３５を複数並べて縫い付け固定することにより、基材シート２９の表側に衝撃緩衝材３０が設けられる。
【００２６】
図４（Ｂ）に示すように、各変形部３４には、テープ部材３２の幅方向の中間位置に変形部３４（テープ部材３２）の長手方向に沿って切れ目３６が設けられている。このような構成とすることにより、変形部３４の切れ目３６に沿った両側の部位をそれぞれ捩り変形することにより、変形部３４を同時に２つの螺旋状の膨出体３７に変形させることができる。なお、図４では、テープ部材３２の長さは、長手方向に膨出体３７が２個形成される長さに設定されている。
【００２７】
衝撃緩衝材３０（緩衝片３５）に衝撃力が作用すると、衝撃力を受けた膨出体３７は衝撃力の負荷方向に潰れるので、膨出体３７を形成しているテープ部材３２同士が重なり合うことになって、潰れた膨出体３７ではゴムシート１３ａの厚さが２倍となる。このため、潰れた膨出体３７による衝撃力の吸収作用が向上し、緩衝片３５を介して基材シート２９に加わる衝撃力を低下させることができる。更に、基材シート２９が変形することにより、基材シート２９からシート本体１１に加わる衝撃力をより低下させることができる。
【００２８】
続いて、本考案の一実施の形態に係る転倒骨折の予防具１０の作用について説明する。
シート本体１１が伸縮性を有するため、使用者の腰部の周長（腰回りの寸法）の長短の影響を受けることなく、着衣の上から転倒骨折の予防具１０を装着することができると共に、使用者の腰部の形状に合わせてシート本体１１が変形することができ、転倒骨折の予防具１０の腰部に対するフィット感が向上し、しかも装着後のずれを防止することができる。なお、シート本体１１を大きく引き伸ばすには大きな引っ張り力をシート本体１１に加える必要があるので、いろいろな体型の高齢者が容易にシート本体１１を装着できるようにするには、弧長が短い側の端部長さが、例えば、６５〜９０ｃｍ、７５〜１０５ｃｍとなる２種類のサイズのシート本体を準備することが好ましい。
【００２９】
転倒骨折の予防具１０の使用時（シート本体１１を腰部に装着した状態）において、第２、第３の領域１７、１８の表側で衝撃吸収部材１２が配置されていない領域にはループ状の面ファスナ２１が露出される。このため、使用中に異物が付着するのを防止することができると共に、第２、第３の領域１７，１８の表側に触れた際の肌触り（感触）を良くすることができる。
衝撃吸収部材１２が第２、第３の領域１７、１８の表側に着脱可能なので、例えば、シート本体１１を腰部に装着した状態で衝撃吸収部材１２を第２、第３の領域１７、１８の表側の必要部位、即ち大腿骨頸部を覆う部位にそれぞれ確実に取付けることができる。このため、衝撃吸収部材１２で転倒時に大腿骨頸部に加わる衝撃力を確実に緩和することができ、大腿骨頸部の骨折を予防することができる。
【００３０】
シート本体１１自体がクッション性を備えるため、シート本体１１を腰部に装着することで、腰部が不用意に物体に当たることがあっても、腰部に加わる衝撃力を緩和することができる。
また、シート本体１１が防水性を有するため、シート本体１１を乾燥状態に保つことが容易であると共に、シート本体１１を洗濯してもゴムシート１３内に洗剤や洗濯水が侵入することがなく、シート本体１１を容易に乾燥させることができる。このため、シート本体１１の衛生状態を維持することが容易となる。
【００３１】
以上、本考案の実施の形態を説明したが、本考案は、上記した形態に限定されるものでは
なく、要旨を逸脱しない条件の変更等は全て本考案の適用範囲である。
例えば、本考案の実施の形態では、２つのダーツを第１の領域の周方向中央部に、周方向に隙間を有して設けたが、３以上のダーツを第１の領域の周方向中央部に、周方向に隙間を有して設けることもできる。なお、ダーツの長さは、第１の領域の長さの１／６〜１／３程度の長さの範囲である。
また、本考案の実施の形態では、第５の領域の裏面の外側端部側でかつ弧長が短い端部側となる部位にフック状の面ファスナを設けたが、第４の領域の裏面の外側端部側でかつ弧長が短い端部側となる部位にフック状の面ファスナを設けることもできる。この場合、第４の領域の裏側に設けられたフック状の面ファスナを介して、第４の領域と第３の領域を着脱可能に接合することができる。これにより、右利きの使用者、左利きの使用者それぞれに対して、腰部にシート本体を容易に装着させることができる。
【符号の説明】
【００３２】
１０：転倒骨折の予防具、１１：シート本体、１２：衝撃吸収部材、１３、１３ａ：ゴムシート、１４、１４ａ：ジャージ生地、１５、１５ａ：多層シート材、１６：第１の領域、１７：第２の領域、１８：第３の領域、１９：第４の領域、２０：第５の領域、２１：ループ状の面ファスナ、２２：フック状の面ファスナ、２３：補強用当て布、２４、２４ａ：バイアステープ、２５、２６：ダーツ、２７：補強用当て布、２８：フック状の面ファスナ、２９：基材シート、３０：衝撃緩衝材、３１：開口、３２：テープ部材、３３：取付け部、３４：変形部、３５：緩衝片、３６：切れ目、３７：膨出体
【図１】
0003217668.tif 000003
【図２】
0003217668.tif 000004
【図３】
0003217668.tif 000005
【図４】
0003217668.tif 000006